(57)【要約】【課題】貯留箱をセットすると受け皿の排出口を閉じているシャッターが変位して排出口が開放されるパチンコ機。【解決手段】下皿８の底部８ａに第一シャッター３０及び第二シャッター５０を設ける。第一シャッター４０は、通常はコイルバネ４２で下皿８の排出口８ｂを閉じる位置に付勢されている。操作レバー４１は下皿８の下方へ突出していて、貯留箱２０を下皿８の下方の島台２１の所定の位置へセットすると、操作レバー４１が貯留箱２０で押されて第一シャッター４０がスライドし、排出口８ｂを開放する。第二シャッター５０の操作ツマミ５１ａを押して第二シャッター５０を押し込むと開口５０ａが排出口８ｂから外れて、第二シャッター５０が排出口８ｂを閉じる。【選択図】図２
2008035935.tif 000002
【特許請求の範囲】
【請求項１】
貯留された遊技球を排出する排出口と前記排出口を閉じる位置と開放する位置との間で変位自在な第一シャッターとを有する受け皿を備え、前記第一シャッターが前記排出口を閉じる位置に付勢する付勢部材と前記第一シャッターを前記付勢部材の付勢に抗して前記排出口を開放する位置へ変位させる操作レバーとを有する弾球遊技機において、
操作スイッチと、前記操作スイッチを操作すると前記排出口を閉じる第二シャッターとを設け、
前記受け皿の下方で前記排出口の設けられた位置の下に遊技球を貯留する貯留箱をセットすると、前記貯留箱によって前記操作レバーが操作されて前記第一シャッターが前記排出口を開放する位置へ変位されるとともに、前記第一シャッターが前記排出口を開放する位置に変位されている場合は、前記操作スイッチによって前記第二シャッターが前記第一シャッターと独立して前記排出口を閉じることを特徴とする弾球遊技機。
【請求項２】
前記第一シャッターが前記排出口を開放する位置に変位されていて、前記第二シャッターが前記排出口を閉じる位置に変位されている場合に、
前記第一シャッターを前記排出口を閉じる位置へ戻すことに応じて、前記第二シャッターが前記排出口を開放する位置へ変位されることを特徴とする請求項１記載の弾球遊技機。
【発明の詳細な説明】
【技術分野】
【０００１】
本発明は、遊技球を貯留する受け皿を備えた弾球遊技機に関し、更に詳しくは、受け皿が遊技球を排出する排出口と排出口を開閉するシャッターとを有する弾球遊技機に関するものである。
【背景技術】
【０００２】
遊技媒体として遊技球を用いる弾球遊技機にはパチンコ機、スマートボールなど多種あるが、中でもパチンコ機がよく知られている。パチンコ機では、遊技球としてのパチンコ球をパチンコ機の遊技領域に設けられた入賞口や入賞装置（ヤクモノ）へ入賞させて得られる賞球を目当てに遊技が行われる。
【０００３】
遊技者は、遊技を開始するに当って、遊技媒体貸出装置に紙幣もしくはプリペイドカードを挿入して遊技に必要な数のパチンコ球の貸し出しを受ける。遊技者は、貸し出しを受けたパチンコ球を手で掴んで遊技機の前面に設けられた受け皿へ移し、貯留する。
【０００４】
受け皿に貯留されたパチンコ球は球発射装置に一発ずつセットされ、遊技者が操作ハンドルを操作すると、パチンコ球が球発射装置から一発ずつ遊技領域へ打ち出される。遊技領域へ打ち出されたパチンコ球は遊技領域に設けられた障害釘や風車などの障害物に流路を変更されながら遊技領域を流下して行く。遊技領域には複数種類の入賞口や入賞口へ入賞すると始動される入賞装置が設けられていて、これらの入賞口や入賞装置にパチンコ球が入賞すると賞与としてのパチンコ球（この場合は賞球と称する）が受け皿に払い出される。賞球はそのまま遊技に供することもできるが、景品と交換する媒体としても利用される。遊技者は、多くの賞球が払い出されて受け皿が満杯になった場合、あるいは遊技を終了するか中断して他のパチンコ機へ移動したりする場合に、受け皿の下方に通称ドル箱と称される貯留箱をセットして、受け皿に貯留されたパチンコ球を貯留箱に排出する。
【０００５】
受け皿には、貯留されたパチンコ球を排出する排出口と排出口を開閉するシャッターが設けられている。受け皿からパチンコ球を貯留箱に排出するには、排出口を開放する位置へシャッターを変位させ、排出口からパチンコ球を貯留箱へ排出させる。特許文献１では、シャッターを開閉させる手段として玉抜きレバー及び返却レバーが提案されている。
【特許文献１】特開平０６−１７８８６５号公報
【発明の開示】
【発明が解決しようとする課題】
【０００６】
しかしながら、遊技者は、受け皿に貯留されているパチンコ球の全てを貯留箱に排出したい場合だけでなく任意の数のパチンコ球を貯留箱へ排出したい場合があり、特許文献１では、この方法については提案されていない。
【０００７】
本発明は上記に鑑みてなされたもので、受け皿に貯留されている全てもしくは任意の数の遊技球を貯留箱に排出できる受け皿を備えた弾球遊技機を提供することを目的とする。
【課題を解決するための手段】
【０００８】
上記目的を達成するために、本発明においては、貯留された遊技球を排出する排出口と前記排出口を閉じる位置と開放する位置との間で変位自在な第一シャッターとを有する受け皿を備え、前記第一シャッターが前記排出口を閉じる位置に付勢する付勢部材と前記第一シャッターを前記付勢部材の付勢に抗して前記排出口を開放する位置へ変位させる操作レバーとを有する弾球遊技機において、操作スイッチと、前記操作スイッチを操作すると前記排出口を閉じる第二シャッターとを設け、前記受け皿の下方で前記排出口の設けられた位置の下に遊技球を貯留する貯留箱をセットすると、前記貯留箱によって前記操作レバーが操作されて前記第一シャッターが前記排出口を開放する位置へ変位されるとともに、前記第一シャッターが前記排出口を開放する位置に変位されている場合は、前記操作スイッチによって前記第二シャッターが前記第一シャッターと独立して前記排出口を閉じることを特徴とする。
【０００９】
また、前記第一シャッターが前記排出口を開放する位置に変位されていて、前記第二シャッターが前記排出口を閉じる位置に変位されている場合に、前記第一シャッターを前記排出口を閉じる位置へ戻すことに応じて、前記第二シャッターが前記排出口を開放する位置へ変位されることを特徴とする。
【発明の効果】
【００１０】
本発明の弾球遊技機によれば、遊技球を貯留する受け皿の下方で受け皿に設けられた排出口の下の位置に貯留箱をセットすることによって操作レバーが押され、排出口を開閉する第一シャッターが排出口を開放する位置へ変位されるようにし、かつ操作スイッチを操作すると前記第一シャッターとは独立して排出口を閉じる第二シャッターを設けて、受け皿に貯留された全数もしくは任意の数の遊技球を貯留箱へ排出できるようにしたので、遊技者はシャッター操作で煩わされることが少なく、かつ、遊技状況に応じて適宜下皿に貯留されたパチンコ球を貯留箱に排出でき、遊技を興趣できる。
【００１１】
また、第一シャッターが貯留箱によって排出口を開放する位置に変位されていて、かつ、第二シャッターが排出口を閉じる位置に変位されている場合は、貯留箱を受け皿の下方から外すことによって、第一シャッターが排出口を閉じる位置へ戻ることに応じて第二シャッターが排出口を開放する位置へ変位するので、本発明の効果をより高めることとなる。
【発明を実施するための最良の形態】
【００１２】
図１に本発明を用いたパチンコ機の外観を示す。パチンコ機２では、通常モード、通常モードよりも賞球としてのパチンコ球（遊技球）を獲得する確率が高くなる大当たりモードの２つの遊技モードが設けられている。大当たりモードは、始動入賞口１０へのパチンコ球の入賞により行われる大当たり抽選で当選すると移行され、遊技者にとって通常モードよりも多くの賞球が得られ易い有利な遊技状態となる。大当たりモードは、１５ラウンドまで継続して実行されるチャンスが与えられている。１ラウンドは、アタッカ１２が３０秒開放されるか又はアタッカ１２にパチンコ球が１０個入賞すると終了される。
【００１３】
パチンコ機２の本体基部となる本体枠３の内部には遊技盤４が配設されており、遊技盤４の前面側には前面扉５が本体枠３に対して開閉自在に設けられている。前面扉５の下方には、下扉６が本体枠３に対して開閉自在に設けられており、下扉６の前面にはパチンコ球を貯留する上皿７及び下皿（本発明の受け皿）８が設けられている。そして、下皿８の右方であり、下扉６の右側部には、パチンコ球の打ち出し強さを調節する操作ハンドル９が設けられている。また、遊技盤４の前面に設けられた遊技領域４ａには、始動入賞口１０、通常入賞口１１、アタッカ１２、アウト口１３が設けられている。
【００１４】
パチンコ機２は、通常複数台が１つのグループ（島）を構成して島台２１に設置されている。下皿８がパチンコ球で満杯になった場合、あるいは遊技者が遊技を終了して下皿８に貯留されたパチンコ球を景品に交換したり他のパチンコ機２へ移動したりする場合には、下皿８に貯留されているパチンコ球を、通称ドル箱と呼ばれる貯留箱２０へ移し変える。下皿８の底部８ａには貯留されたパチンコ球を排出する排出口８ｂが設けられていて（図２、図３）、通常は排出口８ｂが後述の第一シャッター４０で閉じられているが、遊技者が下皿８の下方で排出口８ｂの下の位置の島台２１に貯留箱２０をセットすると、第一シャッター４０が排出口８ｂを開放する位置へ変位されて下皿８に貯留されたパチンコ球が貯留箱２０へ排出され貯留される。
【００１５】
遊技者が上皿７にパチンコ球を投入すると、パチンコ球は上皿７から球発射装置（図示省略）へ向けて設けられた誘導路（図示省略）を介して球発射装置へ導かれる。遊技者が回動式の操作ハンドル９を所定量回動して球発射装置の駆動を制御することで、遊技盤４の遊技領域４ａの上方に向けてパチンコ球が打ち出される。遊技領域４ａへ到達したパチンコ球は、図示しない障害釘や風車によって流路を変更されながら遊技領域４ａを流下してゆき、入賞口１０〜１２のいずれかに入賞するか、あるいはアウト口１３から回収される。アタッカ１２の奥には大入賞口（図示省略）が設けられている。アタッカ１２は大入賞口を開放する開放位置と閉じる閉じ位置との間で回動自在に取り付けられている。
【００１６】
入賞口１０〜１２のいずれかにパチンコ球が入賞すると、入賞口１０〜１２のそれぞれに対応した所定数の賞球が上皿７へ払いだされる。上皿７へ払い出され貯留された賞球は誘導路を通って球発射装置へ導かれ遊技に供されるが、例えば始動入賞口１０へパチンコ球が入賞してアタッカ１２が開放され、大当たりモードとなって多くの賞球が払い出されると、遊技に供給されるパチンコ球より上皿７に貯留される賞球が多くなり、上皿７が貯留できる所定数を越えると、上皿７に入りきらない賞球は下皿８へ払い出される。下皿８へ払い出された賞球はそのまま貯留され、遊技に供するには手で掴んで上皿７へ戻さなければならない。
【００１７】
遊技を継続して更に多くの賞球が払い出され、下皿８に貯留される賞球が溢れてくる場合、あるいは遊技を終了するか中断して他のパチンコ機へ移動したりする場合は、遊技者は第一シャッター４０、第二シャッター５０（図２、図３）を操作して下皿８からパチンコ球を排出し、貯留箱２０に貯留する。下皿８にパチンコ球を貯留する余裕ができると、再び賞球が下皿８へ払いだされる。一方、遊技を継続して上皿７に貯留されたパチンコ球が消費され、貯留数量が所定数以下になってくると、入賞して得られる賞球は上皿７に払い出される。
【００１８】
図２は、本発明を適応した下皿８の部分をパチンコ機２の右側面から見た断面図で示している。下皿８の底板８ａには、下皿８に貯留されたパチンコ球を貯留箱２０へ排出する排出口８ｂが設けられており、底板８ａの裏面に接して、この排出口８ｂと連通する開口３０ａとこの開口３０ａを開放する位置と閉じる位置との間で変位可能な第一シャッター４０及び第二シャッター５０とを備えたシャッターボックス３０が設けられている。シャッターボックス３０は上板３１、中板３２、底板３３及び前面板３４、後面板３５及び図示しない左右の側面板で構成される上下２層構造の箱型をしていて（図４）、第一シャッター４０は上板３１と中板３２との間に形成されている第一層の空間に設けられており、第二シャッター５０はその更に下の中板３２と底板３３との間に形成されている第二層の空間に設けられている。開口３０ａはこれらの上板３１から底板３３までを上下方向に貫通して設けられており、第一、第二シャッター４０、５０が開口３０ａを開放する位置に変位されている場合は、下皿８に貯留されているパチンコ球が排出口８ｂ及び開口３０ａを通って下方の貯留箱２０へ排出される。
【００１９】
図２、３に示すように、第一シャッター４０は、排出口８ｂを開閉するためにスライド移動させる操作レバー４１を備えたL字型の形状をしていて、通常は操作レバー４１の裏面とシャッターボックス３０の後面板３５の内壁面との間に設けられたコイルバネ（付勢部材）４２によって第一シャッター４０が排出口８ｂ及び開口３０ａを閉じる位置に付勢されている（図２（Ａ））。図２（Ｂ）に示すように、遊技者が貯留箱２０を下皿８の下方で排出口８ｂの下の島台２１にセットすると、貯留箱２０によって操作レバー４１が奥へ押されてコイルバネ４２の付勢に抗して第一シャッター４０が排出口８ｂを開放する位置へ移動される。第一シャッター４０はシャッターボックス３０の後面板３５に設けられた突起３５ａの前面に接触する位置で停止するように構成されている。
【００２０】
図３に示すように、第二シャッター５０は第一シャッター４０と平行な平面内においてスライド可動可能となっていて、第二シャッター５０を閉じるために押圧操作する操作ツマミ（操作スイッチ）５１ａを備えた操作板５１と一体に構成されている。第二シャッター５０には排出口８ｂと同じサイズの開口５０ａが設けられていて、通常は開口５０ａが排出口８ｂ及びシャッターボックス３０の開口３０ａを開放する位置に変位されている。操作ツマミ５１ａは遊技者が操作し易いようにシャッターボックス３０の前面板３４に設けられた開口３４ａから前方へ突出していて、開口３０ａを閉じる位置へ変位させるときにのみ操作ツマミ５１ａを操作する。第二シャッター５０の裏面には球形のクボミ５０ｂ、５０ｃが開口５０ａの直径と同じ長さの距離を隔てて２つ設けられている。また、第二シャッター５０の組み込まれているシャッターボックス３０の最下面の底板３３の上面には金属製の球３３ｂ、３３ｃが埋め込まれた２個の穴（図示省略）が上記クボミと同じ間隔で設けられている。球３３ｂ、３３ｃは図示しない板バネで支えられてその穴に埋め込まれている。通常は第二シャッター５０が排出口８ｂを開放する位置に変位されていて、クボミ５０ｂは空いているが、クボミ５０ｃには球３３ｂが板バネの付勢で押し上げられて嵌っている。このとき、球３３ｃは第二シャッター５０の裏面で押し付けられて、板バネの付勢に抗して底板３３の穴に嵌っている。
【００２１】
第一シャッター４０が排出口８ｂを開放する位置に変位されている場合は、操作ツマミ５１ａを押し込むと、クボミ５０ｃから球３３ｂが外れ、更に押し込むとクボミ５０ｂに球３３ｂ、クボミ５０ｃに球３３ｃが嵌まって停止する。このとき、第二シャッター５０の開口５０ａが排出口８ｂ及び開口３０ａから外れた位置に変位されて、第一シャッター４０とは独立して排出口８ｂ及び開口３０ａを閉じることができる。
【００２２】
図３は、第一シャッター４０が排出口８ｂを開放する位置にあって、第二シャッター５０を押し込んで排出口８ｂを閉じている様子を示している。クボミ５０ｂに球３３ｂが嵌まり、クボミ５０ｃに球３３ｃが嵌まるとともに、第二シャッター５０の後端５０ｄが第一シャッター４０の操作レバー４１の前面と接触している。貯留箱２０を前方へずらすと、操作レバー４１がコイルバネ４２の付勢に応じて前方へ移動し、第一シャッター４０が排出口８ｂを閉じる方向へ移動する。第二シャッター５０の後端５０ｄが操作レバー４１に押されて第二シャッター５０が排出口８ｂを開放する方向へ移動する。第二シャッター５０の厚さＨ１はシャッターボックス３０の前面板３４に設けられた開口３４ａの上下方向の幅Ｈ２より厚くなっていて（図３）、第二シャッター５０がシャッターボックス３０の前面板３４の内壁面に突き当たる位置まで第二シャッター５０が戻されると、球３３ｂがクボミ５０ｃに嵌って第一シャッター４０及び第二シャッター５０が停止し、第一シャッター４０は排出口８ｂを閉じるが、第二シャッター５０の開口５０ａが排出口８ｂを開放する位置に戻される（図２（Ａ））。
【００２３】
図４は、シャッターボックス３０の一部分を切り取って第一シャッター４０及び第二シャッター５０が組み込まれた状態を斜視図で示している。また、図５は、図４を分解した図で、図５（Ａ）は第一シャッター４０の部分、図５（Ｂ）は第二シャッター５０の部分をそれぞれ示している。図４、図５に示すように、第一シャッター４０はシャッターボックス３０の上板３１と中板３２とで形成される空間において、中板３２の上面の２つのガイド４４に沿ってスライド可動可能に組み込まれている。図４、図５（Ａ）では上板３１を切り取って第一シャッター４０がよく見えるように示してある。操作レバー４１は中板３２及び底板３３に設けられた開口３２ａ及び３３ａを通して底板３３の下方へ突出して設けられている。第一シャッター４０は、通常は操作レバー４１の裏面に取り付けられたコイルバネ４２で下皿８の排出口８ｂを閉じる位置に付勢されているが、図４、図５（Ａ）では、構造をわかりやすくするために、排出口８ｂを開放する位置へスライドさせた様子を示している。
【００２４】
第二シャッター５０は操作ツマミ５１ａを備えた操作板５１と一体となって構成されていて、中板３２と底板３３との間に形成される空間において、底板３３の上面の２つのガイド５４に沿ってスライド可動可能に組み込まれている。図４、図５（Ｂ）に示すように、第二シャッター５０の前端の操作ツマミ５１ａはシャッターボックス３０の前面板３４に設けられた開口３４ａから前方に突出していて、通常は開口５０ａが排出口８ｂを開放する位置にある。第一シャッター４０の操作レバー４１が押されて排出口８ｂを開放する位置にある場合は、操作ツマミ５１ａを押して第二シャッター５０の開口５０ａが排出口８ｂから外れて、排出口８ｂが第二シャッター５０で閉じられる。
【００２５】
操作レバー４１に加えている力を解放すると、第一シャッター４０はコイルバネ４２の付勢に応じて前方へ戻る。そのときに、操作レバー４１が第二シャッター５０の後端５０ｄを押して第二シャッター５０を前方へ戻す。第二シャッター５０が前面板３４の裏面と接触する位置で第一シャッター４０及び第二シャッター５０が停止し、第一シャッター４０は排出口８ｂを閉じ、第二シャッター５０の開口５０ａが排出口８ｂを開放する。
【００２６】
上記のように構成されたパチンコ機２の作用を説明する。遊技者は、遊技を開始するために貸し出しを受けたパチンコ球を上皿７に貯留し、操作ハンドル９を回動させて、パチンコ球を遊技領域４ａへ打ち出す。遊技領域４ａに到達したパチンコ球は、遊技領域４ａを流下してゆき、例えば、始動入賞口１０へ入賞する。始動入賞口１０へパチンコ球が入賞すると所定数の賞球が上皿７へ払い出されるとともに当りかハズレの抽選がなされる。抽選によって大当たりモードが当選すると大当たりモードが起生される。大当たりモードは、１５ラウンドまで継続して実行されるチャンスが与えられる。１ラウンドは、アタッカ１２が３０秒開放されるか又はアタッカ１２にパチンコ球が１０個入賞すると終了される。アタッカ１２の奥に設けられた大入賞口へパチンコ球が入賞し、さらに大入賞口に設けられた当り口（図示省略）へパチンコ球が入ると、次のラウンドの大当りモードの起生が確約される。
【００２７】
大当たりモードが繰り返されて多くの賞球が上皿７へ払い出されると上皿７が賞球で満杯になる。上皿７が所定数の賞球で満杯になると、続いて払い出される賞球は下皿８へ払い出される。上皿７へ払い出された賞球はそのまま遊技に供されるので、遊技を継続することによって、減少することがある。その場合は、入賞して払い出される賞球は、上皿７に払い出される。遊技を継続して、更に賞球が払いだされると、上皿７及び下皿８が賞球で満杯になってくる。
【００２８】
遊技者は、遊技を終了するか、もしくは中断して他のパチンコ機２へ移動して別の遊技を開始するために、下皿８に貯留されたパチンコ球を貯留箱２０へ排出する。貯留箱２０を下皿８の下方の島台２１の所定の位置にセットすると、貯留箱２０によってコイルバネ４２の付勢に抗して操作レバー４１が押され、第一シャッター４０が排出口８ｂを開放する位置へ変位される。第二シャッター５０は開口５０ａが排出口８ｂの位置にあって排出口８ｂを開放しているから、下皿８に貯留されたパチンコ球が貯留箱２０へ排出される。
【００２９】
貯留箱２０及び第二シャッター５０をそのままの状態に維持しておくことによって、下皿８に貯留されたパチンコ球が全て貯留箱２０に排出される。遊技者が、適当なタイミングで貯留箱２０を島台２１の所定の位置から外すと操作レバー４１がコイルバネ４２の付勢に応じて戻され、第一シャッター４０が排出口８ｂを閉じる位置へ変位される。一方、貯留箱２０を所定の位置にセットしたままで第二シャッター５０の操作ツマミ５１ａを押し込むと、第二シャッター５０の開口５０ａが排出口８ｂから外れ、排出口８ｂが閉じられる。この操作によって、遊技者は適当な数のパチンコ球を貯留箱２０に排出することができる。下皿８に余裕ができると新たな賞球が再び下皿８へ払いだされる。遊技者が遊技を続けることによって上皿７に貯留されているパチンコ球が無くなった場合は、下皿８もしくは貯留箱２０に貯留されているパチンコ球を手で掴んで上皿７へ移す。
【００３０】
第一シャッター４０が貯留箱２０によって排出口８ｂを開放する位置に変位されていて、第二シャッター５０が押し込まれて排出口８ｂを閉じる位置に変位されている場合は、第二シャッター５０の後端５０ｄが第一シャッター４０の操作レバー４１の前面と接触している。この状態で遊技者が貯留箱２０を所定の位置から取り除くと、操作レバー４１がコイルバネ４２の付勢に応じて戻され、第一シャッター４０が排出口８ｂを閉じる。同時に、第二シャッター５０の後端５０ｄが操作レバー４１によって押されて、第二シャッター５０が前方へ押し戻される。第二シャッター５０がシャッターボックス３０の前面板３４の内面と接触する位置で第一シャッター４０及び第二シャッター５０は停止し、第一シャッター４０は排出口８ｂを閉じ、開口５０ａが排出口８ｂの下方に位置して第二シャッター５０は排出口８ｂを開放する。遊技者が再び貯留箱２０を所定の位置にセットすると、第一シャッター４０のみが排出口８ｂを開放する位置へ変位され、下皿８に貯留されたパチンコ球が再び貯留箱２０へ排出される。
【００３１】
本発明のパチンコ機を上記構成にすることによって、遊技者が貯留箱を下皿の下方の排出口の下の島台にセットするだけで、第一シャッターが押し込まれて下皿に設けられたパチンコ球の排出口が開放され、下皿に貯留されたパチンコ球を貯留箱に排出することができる。また、第二シャッターを押し込むことによって、排出口を塞ぐことができ、下皿に貯留されたパチンコ球を全て排出することなく、適当な数のパチンコ球を貯留箱２０に排出することができる。従って、遊技者は各シャッター操作で煩わされることが少なく、遊技状況に応じて適宜下皿に貯留されたパチンコ球を貯留箱に排出でき、遊技をより一層興趣できる。
【００３２】
また、第一シャッター及び第二シャッターが押し込まれている状態で貯留箱を所定の位置から取り除くと、第一シャッター及び第二シャッターが戻されるので、本発明の効果をより一層高めることとなる。
【００３３】
なお、本発明の実施例では、第一シャッターと操作レバーとをＬ字形の一体構造としたが、第一シャッターと操作レバーとが一体ではなくても、操作レバーが操作されると第一シャッターが排出口を開閉する構造であればよい。例えば、操作レバーが操作されたときに第一シャッターがカメラの絞り羽根のように排出口を開閉する構造としてもよく、第一シャッターを円盤形状とし、円周縁近辺に設けた軸を回転軸として偏芯回転することによって排出口を開閉する構造としてもよい。
【００３４】
また、第二シャッターも操作ツマミを押すことによって第二シャッターの開口が排出口を閉じる位置へ変位するようにしたが、操作ツマミを回転させると円盤状の開閉板が回動して排出口を閉じるようにしてもよい。そして、本発明では操作ツマミ５１ａを押し込む、つまり第二シャッター５０が排出口８ｂを閉じる場合のみに操作ツマミ５１ａを操作するようにしたが、操作ツマミ５１ａを手前へ引いて排出口８ｂを開放する位置へ変位させる場合にも操作できるようにしてもよい。
【００３５】
また、第一シャッターを排出口を閉じる位置に付勢する付勢部材をコイルバネとしたが、付勢可能な部材であれば板バネでもよく、この限りではない。
【００３６】
更に、第一シャッター及び第二シャッターを下皿の前面下部に設けて、貯留箱を下皿の前方からセットして第一シャッターの操作レバーを押すようにしたが、これを下皿の、例えば左側から貯留箱をセットすると操作レバーが押されるように、第一シャッター及び第二シャッターを下皿の側面下部に設けてもよい。
【００３７】
なお、本実施例では、パチンコ球を貯留する受け皿が上皿と下皿とを備えたパチンコ機を例としたが、受け皿が一つのパチンコ機であっても本発明を適応することが可能である。
【００３８】
そして、本発明の実施例を、パチンコ球を用いるパチンコ機を例にして説明したが、パチンコ球以外の遊技球やメダルなどの遊技媒体を用いて遊技を行う他の種類の遊技機に適応させることも可能である。
【図面の簡単な説明】
【００３９】
【図１】本発明を適応したパチンコ機の外観を示す斜視図である。
【図２】本発明の第一、第二シャッター機構を下皿に適応させた状態を示す断面図である。
【図３】本発明の第一シャッターを開放し、第二シャッターを閉じた場合を示す断面図である。
【図４】本発明の第一シャッター及び第二シャッターの構造を示す斜視図である。
【図５】図４を更に分解して第一シャッター及び第二シャッターを個別に示す斜視図である。
【符号の説明】
【００４０】
２        パチンコ機（遊技機）
７        上皿
８        下皿
８ｂ      排出口
２０      貯留箱
３０      シャッターボックス
３０ａ    開口
４０      第一シャッター
４１      操作レバー
４２      コイルバネ
５０      第二シャッター
５０ａ    開口
５１      操作板
５１ａ    操作ツマミ
【図１】
2008035935.tif 000003
【図２】
2008035935.tif 000004
【図３】
2008035935.tif 000005
【図４】
2008035935.tif 000006
【図５】
2008035935.tif 000007